(57)【要約】【課題】  異なるメーカのＡＶ装置同士を接続して利用する場合でも、１つのリモコンでそれらのＡＶ装置を相互に制御できる低コストのＡＶシステム及びその制御方法を提供する。【解決手段】  第１の制御コード体系の制御信号に基づいて対応する機能を実行する第１のＡＶ装置と、上記第１のＡＶ装置に接続され、第２の制御コードの制御信号に基づいて対応する機能を制御する、上記第１のＡＶ装置とは異なる第２のＡＶ装置とを備えたＡＶシステムにおいて、上記第１のＡＶ装置は、第１の制御コード体系の制御信号を第３の制御コード体系の制御信号に変換して上記第２のＡＶ装置に送信し、上記第２のＡＶ装置は、上記第１のＡＶ装置からの第３の制御コード体系の制御信号を上記第２の制御コード体系の制御信号に変換して動作を制御する。【選択図】  図７
2007097095.tif 000002
【特許請求の範囲】
【請求項１】
第１の制御コード体系の制御信号に基づいて対応する機能を実行する第１のＡＶ装置と、
上記第１のＡＶ装置に接続され、第２の制御コード体系の制御信号に基づいて対応する機能を制御する、上記第１のＡＶ装置とは異なる第２のＡＶ装置とを備えたＡＶシステムの制御方法において、
上記第１のＡＶ装置で、上記第１の制御コード体系の制御信号を、第３の制御コード体系の制御信号に変換して上記第２のＡＶ装置に送信するステップと、
上記第２のＡＶ装置で、上記第１のＡＶ装置からの第３の制御コード体系の制御信号を、上記第２の制御コード体系の制御信号に変換して動作を制御するステップとを含むことを特徴とするＡＶシステムの制御方法。
【請求項２】
第１の制御コード体系の制御信号に基づいて対応する機能を実行する第１のＡＶ装置と、
上記第１のＡＶ装置に接続され、第２の制御コード体系の制御信号に基づいて対応する機能を制御する、上記第１のＡＶ装置とは異なる第２のＡＶ装置とを備えたＡＶシステムにおいて、
上記第１のＡＶ装置は、上記第１の制御コード体系の制御信号を、第３の制御コード体系の制御信号に変換して上記第２のＡＶ装置に送信し、
上記第２のＡＶ装置は、上記第１のＡＶ装置からの第３の制御コード体系の制御信号を、上記第２の制御コード体系の制御信号に変換して動作を制御することを特徴とするＡＶシステム。
【請求項３】
上記第１のＡＶ装置において、上記第１の制御コード体系の制御信号を、上記第３の制御コード体系の制御信号に変換するための第１の変換テーブルを格納した第１の記憶手段と、
上記第２のＡＶ装置において、上記第３の制御コード体系の制御信号を、上記第２の制御コード体系の制御信号に変換するための第２の変換テーブルを格納した第２の記憶手段とをさらに備え、
上記第１及び第２のＡＶ装置の少なくとも一方において、他方の変換テーブルを読み出してそれ自身の変換テーブルと比較し、差がある場合は、上記それ自身の変換テーブルに含まれない上記他方の変換テーブルの情報を、上記それ自身の変換テーブルに新たに追加するステップをさらに含むことを特徴とする請求項１記載のＡＶシステムの制御方法。
【請求項４】
上記第１のＡＶ装置は、上記第１の制御コード体系の制御信号を、上記第３の制御コード体系の制御信号に変換するための第１の変換テーブルを格納した第１の記憶手段を備え、
上記第２のＡＶ装置は、上記第３の制御コード体系の制御信号を、上記第２の制御コード体系の制御信号に変換するための第２の変換テーブルを格納した第２の記憶手段を備え、
上記第１及び第２のＡＶ装置の少なくとも一方は、他方の変換テーブルを読み出してそれ自身の変換テーブルと比較し、差がある場合は、上記それ自身の変換テーブルに含まれない上記他方の変換テーブルの情報を、上記それ自身の変換テーブルに新たに追加することを特徴とする請求項２記載のＡＶシステム。
【請求項５】
上記第１及び第２のＡＶ装置の少なくとも一方は、それ自身に入力される制御信号を有効にするか否かを選択するための選択手段をさらに備えたことを特徴とする請求項２又は４に記載のＡＶシステム。
【請求項６】
上記第１及び第２のＡＶ装置の少なくとも一方において、それ自身に入力される制御信号を有効にするか否かを選択するステップをさらに含むことを特徴とする請求項１又は３に記載のＡＶシステムの制御方法。
【発明の詳細な説明】
【技術分野】
【０００１】
本発明は、第１の制御コード体系の制御信号に基づいて対応する機能を実行する第１のＡＶ装置と、第１のＡＶ装置に接続され、第２の制御コードの制御信号に基づいて対応する機能を制御する、第１のＡＶ装置とは異なる第２のＡＶ装置とを備えたＡＶシステム及びその制御方法に関する。
【背景技術】
【０００２】
プラズマディスプレイテレビの構成として、チューナを内蔵した１体型テレビジョン、ディスプレイとは別のセットトップボックス（以下、ＳＴＢという。）にチューナを備え、ＳＴＢとディスプレイとを接続して構成する２体型テレビジョン等がある。
【０００３】
２体型テレビジョン装置に対してリモートコントローラ（以下、リモコンという。）による制御が可能である場合、従来、リモコン受光部はチューナ等が備えられたＳＴＢ側に設けられていた。しかし、ディスプレイを視聴している状態で、ディスプレイと異なる場所に設置されたＳＴＢに向けてリモコンを操作することは、ユーザにとって操作性が悪く不便である。特許文献１に、ユーザの利便性を高める目的で、ディスプレイにリモコン受光部を設ける構成が開示されている。
【０００４】
上記特許文献１は、ディスプレイにリモコン受光部を備え、受光したリモコン信号をＳＴＢへ伝送するもので、この構成は、２体型テレビジョン装置以外に、例えば１体型テレビジョン装置の外部入力端子に接続したＤＶＤ再生装置に対する制御においても同様に適用可能である。
【０００５】
【特許文献１】特開２００４−１８００４２号公報。
【発明の開示】
【発明が解決しようとする課題】
【０００６】
しかしながら、上記特許文献１を実現するには、１体型又は２体型テレビジョン装置にＤＶＤ再生装置等の外部ＡＶ装置を接続した構成において、１体型又は２体型テレビジョン装置のリモコン信号のパケット構造、制御コード体系、キャリア周波数等と外部ＡＶ装置のリモコン信号のパケット構造、制御コード体系、キャリア周波数等とに互換性があることが要求される。具体的には、１体型又は２体型テレビジョン装置にそれぞれ備えられたリモコン受光部が外部ＡＶ装置に同梱されたリモコンのリモコン信号を受光できること、つまり、パケット構造やキャリア周波数が同じであること、あるいは、１体型又は２体型テレビジョン装置に同梱されたリモコンが外部ＡＶ装置を制御する機能を備えていること、さらには制御コード体系が同じであることが要求される。しかしながら、一般に、リモコン信号のパケット構造や制御コード体系、キャリア周波数等はメーカが独自に定める。制御コード体系は独自でありながらも、パケット構造やキャリア周波数は、財団法人家電製品協会（以下、家製協という。）で定めるものに基づいたものを使用しているメーカもある。
【０００７】
図１は、家製協で定めるリモコン信号のパケット構造例を示す図である。図１において、リモコン信号は、１ビットのリーダ部１、２バイトのメーカコード部２、４ビットのパリティ部３、２バイトの機器コード部４、ｎバイトのデータ部５、及び１ビットのトレーラ部６によって構成される。
【０００８】
図２は、Ａ社製機器及びＢ社製機器の各機能に割り当てられた制御コードの一例を示す図である。図２において、コード体系表１０は、Ａ社製機器の各機能に対応した制御コードの一覧表、コード体系表１１は、Ｂ社製機器の各機能に対応した制御コードの一覧表である。表１０に示すＡ社制御コード、及び、表１１に示すＢ社制御コードは、図１に示すデータ部５に含まれる。
【０００９】
図２から解るように、Ａ社製機器とＢ社製機器の両方のリモコン信号のパケット構造が家製協フォーマットに準拠していたとしても、各機能に対応するデータ部５のデータ内容が異なるために、Ａ社製機器を制御するためのリモコンでＢ社製機器を制御する、あるいは、Ｂ社製機器を制御するためのリモコンでＡ社製機器を制御することは困難である。
【００１０】
図３は、先行技術に係る、Ａ社製機器であるＡ社製テレビジョン装置２０とＢ社製機器であるＢ社製ＤＶＤ再生装置２３を、１つのリモコンで制御する様子を示す図である。図３において、Ａ社製テレビジョン装置２０はリモコン受光部２１を有し、リモコン受光部２１で受光したリモコン信号は内部のＣＰＵ２２で処理される。また、Ｂ社製ＤＶＤ再生装置２３はリモコン受光部２４を有し、リモコン受光部２４で受光したリモコン信号は内部のＣＰＵ２５で処理される。Ａ社製テレビジョン装置２０とＢ社製ＤＶＤ再生装置２３はＡＶケーブル２６で接続されており、Ｂ社製ＤＶＤ再生装置２３で再生等操作された映像情報及び音声情報はＡＶケーブル２６を経由してＡ社製テレビジョン装置２０へ伝送され、Ａ社製テレビジョン装置２２上で視聴される。Ａ社製テレビジョン装置２０に同梱されたリモコン２７は、Ａ社製テレビジョン装置２０を操作するためのスイッチＳＷ２８と、他機器（ここでは、Ｂ社製ＤＶＤ再生装置２３である。）を制御するためのスイッチＳＷ２９とを備えている。
【００１１】
上記図３の構成において、Ａ社製テレビジョン装置２０とＢ社製ＤＶＤ再生装置２３の両方のリモコン信号のパケット構造が共に家製協フォーマットに準拠していたとしても、図２に示したように、メーカ毎に各機能に対応する制御コードが異なる故に、単にリモコン２７をＢ社製ＤＶＤ再生装置２３に向けてＳＷ２９を操作しても、Ｂ社製ＤＶＤ再生装置２３を制御するのは困難である、という問題があった。
【００１２】
図４は、先行技術に係る、Ａ社製機器であるＡ社製テレビジョン装置２０とＢ社製機器であるＢ社製ＤＶＤ再生装置２３を、１つのリモコンで制御する様子の他の例を示す図である。図４のＡ社製テレビジョン装置２０は、受信したリモコン信号を他のメーカ製機器が処理可能なリモコン信号に変換する機能を持つ。図４の構成は、Ａ社製テレビジョン装置２０のＣＰＵ２２に接続するＩｒシステムケーブル３０を追加した点のみ、図３の構成とは異なる。それ以外の点は図３と同様である。図４において、Ｉｒシステムケーブル３０は、Ａ社製テレビジョン装置２０からのリモコン信号出力をＢ社製ＤＶＤ再生装置２３のリモコン受光部２４で受信させるためのケーブルである。
【００１３】
上記図４の構成において、予め、Ａ社製テレビジョン装置２０のメニュー画面等から、Ａ社製テレビジョン装置２０に接続した機器情報の設定、つまり、メーカは「Ｂ社」で、機器は「ＤＶＤ再生装置」であることを選択設定しておく。この設定により、リモコン２７のＳＷ２９のリモコン信号をリモコン受光部２１を介してＣＰＵ２２が受信すると、ＣＰＵ２２は受信したリモコン信号を上記のように設定したＢ社製ＤＶＤ再生装置２３が処理可能なパケット構造や制御コードに変換した後、Ｉｒシステムケーブル３０から出力する。これにより、リモコン２７でＢ社製ＤＶＤ再生装置２３を制御することが可能となる。しかし、Ａ社製テレビジョン装置２０に同梱されたリモコン２７に備えられた外部機器制御用のＳＷ２９のスイッチ数には限りがあり、Ｂ社製ＤＶＤ再生装置２３の機能全てを制御することは困難である、という問題があった。一般的には、コスト低減のため、ＳＷ２９としては、再生開始や停止、早送り、巻戻し等の限られた機能用のスイッチが設けられるのみで、録画予約を行うためのスイッチ等は備えられていない。
【００１４】
図５は、先行技術に係る、Ａ社製機器であるＡ社製テレビジョン装置２０とＢ社製機器であるＢ社製ＤＶＤ再生装置２３を、学習リモコンを使用して制御する様子を示す図である。図５に示すように、学習リモコンと呼ばれる別売のリモコンを購入してＡ社製テレビジョン装置２０及び外部ＡＶ装置であるＢ社製ＤＶＤ再生装置２３の両方を操作する方法がある。図５の構成は、リモコン２７に代えて、リモコン２７及び４０、及び学習リモコン４１を有する点において図３の構成とは異なる。それ以外の点は図３と同様である。図５において、リモコン４０はＢ社製ＤＶＤ再生装置２３に同梱されていたリモコンで、学習リモコン４１は新たに購入して用意したリモコンである。
【００１５】
上記図５の構成において、予め、リモコン２７とリモコン４０の制御コードを学習リモコン４１にそれぞれ記憶させる設定作業を行う。これにより、１つの学習リモコン４１でＡ社製テレビジョン装置２０とＢ社製ＤＶＤ再生装置２３の両方を制御することができる。しかしながら、学習リモコンは高価である故に、コストがかかる、という問題があった。
【００１６】
上述のように、先行技術においては、異なるメーカのＡＶ装置同士（図３〜図５においてはＡ社製テレビジョン装置２０及びＢ社製ＤＶＤ再生装置２３である。）を接続して利用する場合、１つのリモコンで制御することが困難である故に、結局複数のリモコンを必要とし、操作性が悪いという問題があった。１つのリモコンで操作する為に新たに学習リモコンを用いる場合、コストがかかる、という問題があった。
【００１７】
本発明は、上記問題を解決するためになされたものであり、異なるメーカのＡＶ装置同士を接続して利用する場合でも、１つのリモコンでそれらのＡＶ装置を相互に制御できる低コストのＡＶシステム及びその制御方法を提供することを課題とする。
【課題を解決するための手段】
【００１８】
上記課題を解決する為に、本発明は以下の構成を有する。第１の発明に係るＡＶシステムの制御方法は、第１の制御コード体系の制御信号に基づいて対応する機能を実行する第１のＡＶ装置と、上記第１のＡＶ装置に接続され、第２の制御コード体系の制御信号に基づいて対応する機能を制御する、上記第１のＡＶ装置とは異なる第２のＡＶ装置とを備えたＡＶシステムの制御方法において、上記第１のＡＶ装置で、上記第１の制御コード体系の制御信号を、第３の制御コード体系の制御信号に変換して上記第２のＡＶ装置に送信するステップと、上記第２のＡＶ装置で、上記第１のＡＶ装置からの第３の制御コード体系の制御信号を、上記第２の制御コード体系の制御信号に変換して動作を制御するステップとを含むことを特徴とする。
【００１９】
上記ＡＶシステムの制御方法において、上記第１のＡＶ装置において、上記第１の制御コード体系の制御信号を、上記第３の制御コード体系の制御信号に変換するための第１の変換テーブルを格納した第１の記憶手段と、上記第２のＡＶ装置において、上記第３の制御コード体系の制御信号を、上記第２の制御コード体系の制御信号に変換するための第２の変換テーブルを格納した第２の記憶手段とをさらに備え、上記第１及び第２のＡＶ装置の少なくとも一方において、他方の変換テーブルを読み出してそれ自身の変換テーブルと比較し、差がある場合は、上記それ自身の変換テーブルに含まれない上記他方の変換テーブルの情報を、上記それ自身の変換テーブルに新たに追加するステップをさらに含むことを特徴とする。
【００２０】
また、上記ＡＶシステムの制御方法において、上記第１及び第２のＡＶ装置の少なくとも一方において、それ自身に入力される制御信号を有効にするか否かを選択するステップをさらに含むことを特徴とする。
【００２１】
第２の発明に係るＡＶシステムは、第１の制御コード体系の制御信号に基づいて対応する機能を実行する第１のＡＶ装置と、上記第１のＡＶ装置に接続され、第２の制御コード体系の制御信号に基づいて対応する機能を制御する、上記第１のＡＶ装置とは異なる第２のＡＶ装置とを備えたＡＶシステムにおいて、上記第１のＡＶ装置は、上記第１の制御コード体系の制御信号を、第３の制御コード体系の制御信号に変換して上記第２のＡＶ装置に送信し、上記第２のＡＶ装置は、上記第１のＡＶ装置からの第３の制御コード体系の制御信号を、上記第２の制御コード体系の制御信号に変換して動作を制御することを特徴とする。
【００２２】
上記ＡＶシステムにおいて、上記第１のＡＶ装置は、上記第１の制御コード体系の制御信号を、上記第３の制御コード体系の制御信号に変換するための第１の変換テーブルを格納した第１の記憶手段を備え、上記第２のＡＶ装置は、上記第３の制御コード体系の制御信号を、上記第２の制御コード体系の制御信号に変換するための第２の変換テーブルを格納した第２の記憶手段を備え、上記第１及び第２のＡＶ装置の少なくとも一方は、他方の変換テーブルを読み出してそれ自身の変換テーブルと比較し、差がある場合は、上記それ自身の変換テーブルに含まれない上記他方の変換テーブルの情報を、上記それ自身の変換テーブルに新たに追加することを特徴とする。
【００２３】
また、上記ＡＶシステムにおいて、上記第１及び第２のＡＶ装置の少なくとも一方は、それ自身に入力される制御信号を有効にするか否かを選択するための選択手段をさらに備えたことを特徴とする。
【発明の効果】
【００２４】
本発明に係るＡＶシステム又はその制御方法によれば、各ＡＶ装置内部で、メーカ独自コード体系を統一された別のコード体系に変換することで、１つのリモコンで異なるメーカのＡＶ装置を相互に制御できる。学習リモコンのような高価な追加のリモコンも必要としない。本発明は、操作性が高く低コストのＡＶシステム又はその制御方法を実現することができるという格別の効果を奏する。
【発明を実施するための最良の形態】
【００２５】
以下本発明の実施をするための最良の形態を具体的に示した実施形態について、図面とともに記載する。
【００２６】
実施形態１．
図１、６及び７を用いて、本発明の実施形態１に係るＡＶシステムについて説明する。図１は、家製協で定めるリモートコントローラ（以下、リモコンという。）信号のパケット構造例を示す図である。図１において、リーダ部１は、信号の先頭を示す１ビットのデータである。メーカコード部２は、家製協に登録されたメーカ別に割り当てられた２バイトのコードである。パリティ部３は、メーカコード部２のパリティである４ビットのデータである。機器コード部４は、機器の分類を示す２バイトのコードである。データ部５は、制御データを示すｎバイトのデータである。トレーラ部６は、信号の終了を示す１ビットのデータである。
【００２７】
図６は、本実施形態に係るＡＶシステムでの共通制御コード体系を示す図である。図６において、コード体系表５０は、機器のメーカや機種に依存せず一意に定められた、テレビジョン装置やＤＶＤ再生装置等のＡＶ装置の各機能に対応した制御コード一覧表である。コード体系表５０において、機能「ＰＬＡＹ」は再生開始を示し、共通制御コード「Ｆ０Ｈ」が割り当てられている。同様に、機能「ＦＦ」は早送りを示し、共通制御コード「Ｆ２Ｈ」に割り当てられ、機能「ＲＷ」は巻き戻しを示し、共通制御コード「Ｆ４Ｈ」に割り当てられている。但し、共通制御コードは、１６進数の２バイトで表されている。共通制御コードは、図１に示すデータ部５に含まれる。このような共通制御コード体系を用いれば、各メーカは、コード体系表５０に準拠した制御を行うことで、例えばＡ社製機器に同梱されたリモコンで、Ｂ社製機器を容易に制御することが可能となる。
【００２８】
しかしながら、各メーカには、独自の制御コード体系に基づいた制御を行う従来の開発資産がある。それ故に、各メーカ独自の制御コード体系に基づく制御方法に関する開発資産を全て共通制御コード体系に変更するには、開発工数が余分にかかる等、機器のコストに影響する要因が発生し、ユーザの利便性を高める技術がかえってユーザの負担になりかねない。そこで、従来の開発資産を活用しながら共通制御コード体系を利用する為に、本発明では、各メーカ製機器が、メーカ独自コード体系と共通制御コード体系とを相互に変換する。
【００２９】
図７は、本実施形態において、ＡＶ出力装置であるＡ社製テレビジョン装置２０とＡＶ入力装置であるＢ社製ＤＶＤ再生装置２３を接続し、図６に示す共通制御コード体系を利用して１つのリモコンにより制御する様子を示す図である。図７において、Ａ社製テレビジョン装置２０はリモコン受光部２１を有し、リモコン受光部２１で受光したリモコン信号は内部のＣＰＵ２２で処理される。ＣＰＵ２２は変換表６１を有する。また、Ｂ社製ＤＶＤ再生装置２３はリモコン受光部２４を有し、リモコン受光部２４で受光したリモコン信号は内部のＣＰＵ２５で処理される。ＣＰＵ２５は変換表６２を有する。Ａ社製テレビジョン装置２０とＢ社製ＤＶＤ再生装置２３はＡＶケーブル６０で接続されている。ＡＶケーブル６０は、Ｂ社製ＤＶＤ再生装置２３からＡ社製テレビジョン装置２０への片方向に映像情報及び／又は音声情報を伝送することに加えて、Ａ社製テレビジョン装置２０とＢ社製ＤＶＤ再生装置２３との間を双方向に制御コードを伝送する。Ｂ社製ＤＶＤ再生装置２３で再生等操作された映像情報及び音声情報はＡＶケーブル６０を経由してＡ社製テレビジョン装置２０へ伝送され、Ａ社製テレビジョン装置２２上で視聴される。
【００３０】
変換表６１は、Ａ社製テレビジョン装置２０の各機能を制御するＡ社独自の２バイトのコード体系（Ａ社コード）と、図６に示したコード体系表５０で定義される２バイトの共通制御コード体系とを対応付けた変換表である。変換表６２は、Ｂ社製ＤＶＤ再生装置２３の各機能を制御するＢ社独自の２バイトのコード体系（Ｂ社コード）と、図６に示したコード体系表５０で２バイトの共通制御コード体系とを対応付けた変換表である。
【００３１】
Ａ社製テレビジョン装置２０に同梱されたリモコン２７にはＡ社製テレビジョン装置２０を操作するためのスイッチＳＷ２８（以下、単にＳＷ２８という。）と他機器（ここでは、Ｂ社製ＤＶＤ再生装置２３である。）を制御するためのスイッチＳＷ２９（以下、単にＳＷ２９という。）とが備えられている。
【００３２】
ユーザがＡ社製テレビジョン装置２０に向けてＡ社製テレビジョン装置２０に同梱のリモコン２７のＳＷ２８を操作すると、ＳＷ２８の各スイッチに対応する機能に割り当てられた制御コードが図１に示すパケットフォーマット内に組み込まれ、リモコン信号として送信され、Ａ社製テレビジョン装置２０のリモコン受光部２１で受光される。Ａ社製テレビジョン装置２０のＣＰＵ２２は、リモコン受光部２１を介して受信した制御コードが、Ａ社製テレビジョン装置２０を操作するための制御コードである故に、その制御コードに対応するＡ社製テレビジョン装置２０の操作処理（例えば、チャンネルを切り替える等の処理。）が実行される。
【００３３】
一方、ユーザがＡ社製テレビジョン装置２０に向けてＡ社製テレビジョン装置２０に同梱のリモコン２７のＳＷ２９を操作すると、ＳＷ２９の各スイッチに対応する機能に割り当てられた制御コードが図１に示すパケットフォーマット内に組み込まれ、リモコン信号として送信され、Ａ社製テレビジョン装置２０のリモコン受光部２１で受光される。Ａ社製テレビジョン装置２０のＣＰＵ２２は、リモコン受光部２１を介して受信した制御コードが他機器を制御するための制御コードであることを認識する。しかし、その制御コードは、Ａ社独自のコード体系に基づいた制御コードである故に、Ａ社製テレビジョン装置２０のＣＰＵ２２は、変換表６１に基づいて、受信した制御コードを、対応する共通制御コードに変換する。変換された共通制御コードは、ＡＶケーブル６０を経由してＢ社製ＤＶＤ再生装置２３へ伝送される。Ｂ社製ＤＶＤ再生装置２３のＣＰＵ２５は、Ａ社製テレビジョン装置２０から受信した共通制御コードを変換表６２に基づいてＢ社独自コードに変換し、変換されたＢ社独自コードに基づいて各機能に対応する処理を実行する。なお、Ｂ社製ＤＶＤ再生装置２３が共通制御コードに基づいて直接に処理可能なＡＶ装置であれば、Ｂ社独自コードに変換することなく受信した共通制御コードに基づいて各機能に対応する処理が実行されても良い。また、Ｂ社製ＤＶＤ再生装置２３に同梱のリモコン（図示せず。）には、Ｂ社製ＤＶＤ再生装置２３を操作するためのスイッチと、他機器を制御するためのスイッチが設けられ、上記と同様に、Ｂ社製ＤＶＤ再生装置２３に同梱のリモコン（図示せず。）によって、Ａ社製テレビジョン装置２０とＢ社製ＤＶＤ再生装置２３とを制御することができる。
【００３４】
上記作用によって、Ａ社製テレビジョン装置２０に同梱のリモコン２７によってＢ社製ＤＶＤ再生装置２３の制御が可能となり、Ｂ社製ＤＶＤ再生装置２３に同梱のリモコン（図示せず。）によってＡ社製テレビジョン装置２０の制御が可能となる。
【００３５】
なお、本実施形態では、一方の機器が、変換表６１又は変換表６２に基づいて各社独自コードを共通制御コードに変換し、ＡＶケーブル６０を介して他方に共通制御コードを伝送する例を示した。しかし、この構成に限らず、共通制御コードに変換した後、変換された共通制御コードが組み込まれた、接続機器に対応したパケットフォーマットを生成して伝送しても良い。
【００３６】
また、Ａ社製テレビジョン装置２０のリモコン受光部２１で受光したリモコン信号から、図１のデータ部５に相当する制御コードを伝送する例を示した。しかし、本発明はこれに限らず、Ａ社製テレビジョン装置２０の例えば電源状態等の状態を示す状態コードや、状態が遷移することによって発生する別の制御コード等、リモコン操作やＡ社製テレビジョン装置２０に備えられたＳＷ操作以外の要因で発生する状態コードや制御コードを変換表に基づいて変換し、伝送するとしても良い。また、Ｂ社製ＤＶＤ再生装置２３についても同様である。
【００３７】
さらに、変換表６１及び６２がそれぞれＣＰＵ２２及び２５内部にある例を示したが、これらの変換表がＣＰＵ外部の記憶装置等に格納され、ＣＰＵが変換表を参照しながら各社独自コード体系から共通制御コード体系に変換するような構成でも良い。
【００３８】
実施形態２．
図８、９、１０及び１１を用いて、本発明の実施形態２に係るＡＶシステムについて説明する。図８は、図７における変換表６１及び６２を更に具体的に示す図である。図８に示すように、Ａ社製テレビジョン装置２０の変換表６１にあるＡ社製テレビジョン装置２０が他機器の制御において対応できる機能数はＮ種類（Ｎは１以上の整数である。）である。Ｂ社製ＤＶＤ再生装置２３の変換表６２にあるＢ社製ＤＶＤ再生装置２３が対応できる機能数はＭ種類（Ｍは１以上の整数である。）である。ＮとＭは同じ数である必要はなく、一般的に、機種により異なる可能性がある。例えば、図８に示す変換表６１及び６２からわかるように、Ａ社製テレビジョン装置２０の変換表６１にある対応可能な機能数がＢ社製テレビジョン装置の変換表６２のそれに比べて少ないため、Ｂ社製ＤＶＤ再生装置２３の電源オン（ＰＯＮ）及び電源オフ（ＰＯＦＦ）の機能を制御できない。そこで、本発明の実施形態では、各機器が自らの対応可能な機能数と、それに接続された他機器が対応可能な機能数とを比較し、その差分を補うことで、従来制御できなかった他機器の機能を制御可能とし、さらにユーザの利便性を高めるものである。
【００３９】
図９は、電源投入時の機能数を比較するためのフローチャートを示す図である。図９において、まず、Ａ社製テレビジョン装置２０とＢ社製ＤＶＤ再生装置２３を図７に示すＡＶケーブル６０で接続し（ステップ８０）、その後、Ａ社製テレビジョン装置２０とＢ社製ＤＶＤ再生装置２３の各電源をＯＮにする（ステップ８１）。
【００４０】
ステップ８２〜８４は、Ａ社製テレビジョン装置２０側の処理を示す。Ａ社製テレビジョン装置２０は、ＡＶケーブル６０を介してＢ社製ＤＶＤ再生装置２３と通信し、Ｂ社製ＤＶＤ再生装置２３の対応する機能数をリードする（ステップ８２）。Ａ社製テレビジョン装置２０は自らの変換表６１の機能数Ｎと、リードしたＢ社製ＤＶＤ再生装置２３の変換表６２の機能数Ｍとを比較し（ステップ８３）、Ａ社製テレビジョン装置２０に備えられたＬＥＤ等を点灯又は消灯する等により比較結果を表示する（ステップ８４）。
【００４１】
一方、ステップ８５〜８７は、Ｂ社製ＤＶＤ再生装置２３側の処理を示す。Ｂ社製ＤＶＤ再生装置２３は、ＡＶケーブル６０を介してＡ社製テレビジョン装置２０と通信し、Ａ社製テレビジョン装置２０の変換表６１の機能数Ｎをリードする（ステップ８５）。Ｂ社製ＤＶＤ再生装置２３は自らの変換表６２の機能数ＭとリードしたＡ社製テレビジョン装置２０の変換表６１の機能数Ｎを比較し（ステップ８６）、Ｂ社製ＤＶＤ再生装置２３に備えられたＬＥＤ等が点灯又は消灯する等により比較結果を表示する（ステップ８７）。
【００４２】
ステップ８４及び８７に係る比較結果の表示方法については、上記の各機器に備えられたＬＥＤ等の点灯又は消灯の他、機能数同士を比較した結果、差異があるか否かに応じて、ＡＶケーブル３０の各機器に接続したコネクタ部分に備えられたＬＥＤ等が点灯又は消灯する構成としても良いし、Ａ社製テレビジョン装置２０の画面にメッセージを表示する構成としても良い。以下、Ａ社製テレビジョン装置２０の変換表６１の機能数Ｎが、Ｂ社製ＤＶＤ再生装置２３の変換表６２の機能数Ｍよりも少ない場合、即ち、ＮとＭとの間に以下の関係式（１）が成り立つ場合を例に取って説明する。
【００４３】
［数１］
Ｍ＞Ｎ  …  （１）
【００４４】
Ａ社製テレビジョン装置２０は、上記ステップ８０〜８４により、Ａ社製テレビジョン装置２０の変換表６１の機能数Ｎが、Ｂ社製ＤＶＤ再生装置２３の変換表６２の機能数Ｍよりも少ないことを認識すると、さらにＢ社製ＤＶＤ再生装置２３に変換表６２をリードする。Ａ社製テレビジョン装置２０は、Ａ社製テレビジョン装置２０の変換表６１の機能と、リードしたＢ社製ＤＶＤ再生装置２３の変換表６２の機能との差分を取り、Ａ社製テレビジョン装置２０の変換表６１に無いＢ社製ＤＶＤ再生装置２３の変換表６２の機能を、Ａ社製テレビジョン装置２０の変換表６１に追加する。
【００４５】
図１０は、Ａ社製テレビジョン装置２０及びＢ社製ＤＶＤ再生装置２３間で機能数同士の差分を補って作成した変換表を示す図である。Ａ社製テレビジョン装置２０の新たな変換表９０は、元の変換表６１から、Ａ社製テレビジョン装置２０の変換表６１に無いＢ社製ＤＶＤ再生装置２３の変換表６２の機能である電源オン（ＰＯＮ）及び電源オフ（ＰＯＦＦ）の２つの機能が追加されている。変換表９０の機能数はＢ社製ＤＶＤ再生装置２３の変換表６１の機能数Ｍと同一になっている。
【００４６】
図１１は、Ａ社製テレビジョン装置２０に同梱のリモコン２７の構成を示す図である。リモコン２７には、機能拡張用スイッチＳＷ９２（以下、単にＳＷ９２という。）が設けられている。ＳＷ９２には、変換表６１のＡ社コードは割り当てられているが、機能及び共通制御コードは割り当てられていない。Ａ社製テレビジョン装置２０は、上記の追加した各機能に、ＳＷ９２の各スイッチを割り当てる。これにより、ユーザは、ＳＷ９２を操作することで、新たに追加した機能を制御するための操作が可能となる。
【００４７】
なお、本実施形態では、２つのＡＶ装置が接続されて両者の電源がＯＮになったタイミングでＡ社製テレビジョン装置２０とＢ社製ＤＶＤ再生装置２３が互いに他方の機能数をリードし、自らの機能数と比較した後に、少ない機能数を有する機器側が他方の変換表をさらにリードして差分を補った。しかし、本発明はこれに限らず、一方のみが他方の機能数をリードして比較動作し、他方に比較結果を伝送しても良い。一方が他方の変換表の全てをリードし、他方の変換表の共通制御コードと自らの変換表の共通制御コードとを比較する、あるいは、その差分機能数をカウントしても良い。Ａ社製テレビジョン装置２０とＢ社製ＤＶＤ再生装置２３の各機器が、自らの機能数又は機能内容と接続機器の機能数又は機能内容との差分又は相違を、両者あるいは一方が識別する為に通信及び処理して検出する別の方法でも良い。また、２つのＡＶ装置が接続されて両者の電源がＯＮになったタイミングに代えて、ユーザの操作によって上記の差分を補う処理が実行されても良い。
【００４８】
また、Ａ社製テレビジョン装置２０とＢ社製ＤＶＤ再生装置２３のうち、一方が受信した制御コードが自らの変換表に存在しない場合に、他方に問い合わせて、逐次自らの変換表に追加する為の通信及び処理を行っても良い。その場合、Ａ社製テレビジョン装置２０又はＢ社製ＤＶＤ再生装置２３の電源がＯＦＦになったタイミング、又は、コネクタが抜かれる等によって両者の接続が解除されたタイミングで、変換表に新たに追加された内容はクリアされるようにするのが好ましい。
【００４９】
さらに、図９において、Ａ社製テレビジョン装置２０とＢ社製ＤＶＤ再生装置２３が接続された（ステップ８０）状態で、両者の電源をＯＮした（ステップ８１）場合に、両者の変換表の機能数又は機能内容を比較する例を示した。しかし、これに限らず、ステップ８０及び８１の順序を入れ替えて、Ａ社製テレビジョン装置２０とＢ社製ＤＶＤ再生装置２３の電源をＯＮした（ステップ８１）状態で、両者が接続された（ステップ８０）場合に比較を行っても良い。
【００５０】
またさらに、本実施形態では、Ａ社製テレビジョン装置２０とＢ社製ＤＶＤ再生装置２３の各機器が対応可能な機能数又は機能内容に関して、他方のそれと差分がある場合、各機器が結果を表示した。しかし、これに限らず、機能数又は機能内容が多い方又は少ない方のみが結果を表示しても良い。あるいは、Ａ社製テレビジョン装置２０とＢ社製ＤＶＤ再生装置２３のうち、一方から他方に制御コードを伝送し、他方がその制御コードに対応していないと判明した場合に、Ａ社製テレビジョン装置２０とＢ社製ＤＶＤ再生装置２３の少なくとも一方に結果表示しても良い。
【００５１】
実施形態３．
図１２を用いて、本発明の実施形態３に係るＡＶシステムについて説明する。図１２は、本実施形態において、ＡＶ出力装置であるＡ社製テレビジョン装置２０とＡＶ入力装置であるＢ社製ＤＶＤ再生装置２３を接続し、共通制御コード体系を利用してリモコンにより制御する様子の一例を示す図である。図１２において、Ａ社製テレビジョン装置２０がコネクタ１００を更に有し、Ｂ社製ＤＶＤ再生装置２３がコネクタ１０１を更に有し、Ａ社製テレビジョン装置２０及びＢ社製ＤＶＤ再生装置２３は、コネクタ１００及び１０１を介して互いに接続される点において、図７の構成とは異なる。それ以外の点においては、図７の構成と同様であり、同一符号を付した構成要素についての詳細な説明は省略する。
【００５２】
図１２において、Ａ社製テレビジョン装置２０に備えられたコネクタ１００及びＢ社製ＤＶＤ再生装置２３に備えられたコネクタ１０１は、ＨＤＭＩ（High-Definition Multimedia Interface）規格に準拠したコネクタであり、ＡＶケーブル６０と各機器を接続する。
【００５３】
ＨＤＭＩ規格には、ＣＥＣ（Consumer Electronics Control）規格がオプションとして定義されており、ＣＥＣは接続した機器を相互に制御するコマンドや通信方法を定義した規格である。したがって、ユーザがＡ社製テレビジョン装置２０に向けてＡ社製テレビジョン装置２０に同梱のリモコン２７のＳＷ２９を操作した場合、Ａ社製テレビジョン装置２０に備えられたリモコン受光部２１で受光したリモコン信号は、ＣＰＵ２２等でＡ社独自コマンド体系とＣＥＣコマンド体系との比較表に基づいて変換処理され、ＣＥＣ準拠のコマンドに変換されて、Ｂ社製ＤＶＤ再生装置２３へ伝送され、Ｂ社製ＤＶＤ再生装置２３内で制御される。Ｂ社製ＤＶＤ再生装置２３のリモコン受光部２４がＢ社製ＤＶＤ再生装置２３に同梱のリモコン４０からのリモコン信号を受信し、Ａ社製テレビジョン装置２０を制御する場合においても同様である。Ａ社製テレビジョン装置２０とＢ社製ＤＶＤ再生装置２３の機能数又は機能内容の比較は、ＨＰＤ（Hot Plug Detect）がアクティブになった際に行うものとする。
【００５４】
実施形態４．
図１３を用いて、本発明の実施形態４に係るＡＶシステムについて説明する。図１３は、Ａ社製テレビジョン装置２０とＢ社製ＤＶＤ再生装置２３の接続を示す図である。図１３において、Ａ社製テレビジョン装置２０がＣＰＵ２２及びリモコン受光部２１の間に切替スイッチＳＷ１１０（以下、単にＳＷ１１０という。）を有する点、Ｂ社製ＤＶＤ再生装置２３がＣＰＵ２５とリモコン受光部２４の間に切替スイッチ１１１（以下、単にＳＷ１１１という。）を有する点、及び、Ａ社製テレビジョン装置２０に同梱のリモコン２７に加えてＢ社製ＤＶＤ再生装置２３に同梱のリモコン４０を追加した点において、図７に示した構成とは異なる。それ以外の点については、図７の構成と同様であり、同一符号を付した構成要素についての詳細な説明は省略する。図１３において、ＳＷ１１０はリモコン受光部２１又はリモコン受光部２１で受光した信号の有効又は無効を切り替えるためのスイッチで、切替スイッチＳＷ１１１はリモコン受光部２４又はリモコン受光部２４で受光した信号の有効又は無効を切替えるためのスイッチである。
【００５５】
Ａ社製テレビジョン装置２０及びＢ社製ＤＶＤ再生装置２３には、それぞれリモコン２７及び４０が同梱されており、既に詳述した上記実施形態１〜３に示す技術により、Ａ社製テレビジョン装置２０に同梱のリモコン２７でＡ社製テレビジョン装置２０を経由してＢ社製ＤＶＤ再生装置２３を制御し、Ｂ社製ＤＶＤ再生装置２３に同梱のリモコン４０でＢ社製ＤＶＤ再生装置２３を経由してＡ社製テレビジョン装置２０を制御することができる。しかし、例えば、あるユーザがリモコン２７でＡ社製テレビジョン装置２０を制御し、それとほぼ同時に別のユーザがリモコン４０がＢ社製ＤＶＤ再生装置２３を経由してＡ社製テレビジョン装置２０を制御した場合、Ａ社製テレビジョン装置２０は、各ユーザが意図しない動作をすることになり、各ユーザに機器が故障したのではないか、という不安感を与える可能性がある。そこで、上記の構成によれば、Ａ社製テレビジョン装置２０に設けられたＳＷ１１０及びＢ社製ＤＶＤ再生装置２３に設けられたＳＷ１１１をユーザが操作することで、リモコン受光部２１から入力される信号又はリモコン受光部２４から入力される信号の一方を有効に、他方を無効に設定する。これにより、ユーザに不安感を与えることがない。各機器に設けられたＬＥＤ等によって、各スイッチ１１０及び１１１が有効であるか否かが表示されても良い。
【００５６】
なお、本実施形態において、ユーザが操作してＳＷ１１０及びＳＷ１１１を設定する例を示した。しかし、これに限らず、Ａ社製テレビジョン装置２０及びＢ社製ＤＶＤ再生装置２３の接続が解除された時に、その時のＳＷ１１０及びＳＷ１１１のオンオフ状態を記憶装置等に格納し、次回Ａ社製テレビジョン装置２０とＢ社製ＤＶＤ再生装置２３を接続した際に、記憶装置に格納された情報に基づいて、自動的にＳＷ１１０及びＳＷ１１１が設定されても良い。
【産業上の利用可能性】
【００５７】
本発明に係るＡＶシステム又はその制御方法は、例えば、映像情報と音声情報を出力するテレビジョン装置等と、ＡＶケーブル等によってテレビジョン装置等と接続され、映像情報と音声情報を入力するＤＶＤ再生装置再生装置等とを備えたＡＶシステム等に利用することができる。
【図面の簡単な説明】
【００５８】
【図１】財団法人家電製品協会で定めるリモコン信号のパケット構造例を示す図である。
【図２】Ａ社製機器及びＢ社製機器の各機能に割り当てられた制御コードを示す図である。
【図３】先行技術に係る、Ａ社製テレビジョン装置とＢ社製ＤＶＤ再生装置を１つのリモコンで制御する様子の一例を示す図である。
【図４】先行技術に係る、Ａ社製テレビジョン装置とＢ社製ＤＶＤ再生装置を１つのリモコンで制御する様子の他の例を示す図である。
【図５】先行技術に係る、Ａ社製テレビジョン装置とＢ社製ＤＶＤ再生装置を学習リモコンで制御する様子を示す図である。
【図６】本発明の実施形態１〜４に係る、ＡＶシステムでの共通制御コード体系を示す図である。
【図７】本発明の実施形態１に係る、Ａ社製テレビジョン装置とＢ社製ＤＶＤ再生装置を１つのリモコンで制御する様子を示す図である。
【図８】本発明の実施形態２に係る、図７における変換表６１及び６２を更に具体的に示す図である。
【図９】本発明の実施形態２に係る、電源投入時の機能数を比較するためのフローチャートを示す図である。
【図１０】本発明の実施形態２に係る、Ａ社製テレビジョン装置及びＢ社製ＤＶＤ再生装置間で機能数同士の差分を補って作成した変換表を示す図である。
【図１１】本発明の実施形態２に係る、Ａ社製テレビジョン装置に同梱のリモコンの構成を示す図である。
【図１２】本発明の実施形態３に係る、Ａ社製テレビジョン装置とＢ社製ＤＶＤ再生装置を１つのリモコンで制御する様子を示す図である。
【図１３】本発明の実施形態４に係る、Ａ社製テレビジョン装置とＢ社製ＤＶＤ再生装置を制御する様子を示す図である。
【符号の説明】
【００５９】
１…リーダ部、
２…メーカコード部、
３…パリティ部、
４…機器コード部、
５…データ部、
６…トレーラ部、
１０，１１，５０…コード体系表、
２０…Ａ社製テレビジョン装置、
２１，２４…リモコン受光部、
２２，２５…ＣＰＵ、
２３…Ｂ社製ＤＶＤ再生装置、
２６，６０…ＡＶケーブル、
２７，４０…リモコン、
２８，２９，９２…スイッチ、
３０…Ｉｒシステムケーブル、
４１…学習リモコン、
６１，６２，９０…変換表、
１００，１０１…コネクタ、
１１０，１１１…切替スイッチ。
【図１】
2007097095.tif 000003
【図２】
2007097095.tif 000004
【図３】
2007097095.tif 000005
【図４】
2007097095.tif 000006
【図５】
2007097095.tif 000007
【図６】
2007097095.tif 000008
【図７】
2007097095.tif 000009
【図８】
2007097095.tif 000010
【図９】
2007097095.tif 000011
【図１０】
2007097095.tif 000012
【図１１】
2007097095.tif 000013
【図１２】
2007097095.tif 000014
【図１３】
2007097095.tif 000015